【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
現在のブロックのベクトルによって参照される予測ブロックと前記現在のブロックとの間の差分から生成された残差データを含む第１の残差ブロックに残差差分パルスコード変調（ＤＰＣＭ）が適用される方向を示す情報を復号することと、
前記方向を示す前記情報に基づいて前記第１の残差ブロックの走査順序を決定することと、ここにおいて、前記決定された走査順序は、第２の残差ブロックが前記現在のブロックをイントラ予測することから生成された場合、および前記復号した情報に示された前記方向と同じ方向を用いて前記第２の残差ブロックが残差ＤＰＣＭを適用された場合に、前記第２の残差ブロックに対して使用されるものと同じ走査順序であることが必要である、
前記決定された走査順序に基づいて前記第１の残差ブロックの前記残差データをエントロピー復号することと、
前記復号した残差データに基づいて前記現在のブロックを再構成することと
を備える、方法。
【請求項２】
前記現在のブロックの前記ベクトルによって参照される前記予測ブロックと前記現在のブロックとの間の前記差分から生成された前記残差データは、残差値をピクセル領域から変換領域に変換する変換が前記残差値に適用されることなく前記予測ブロックと前記現在のブロックとの間の前記差分からの前記残差値を含む残差データを備える、請求項１に記載の方法。
【請求項３】
前記残差データをエントロピー復号することは、前記決定された走査順序に基づいて前記第１の残差ブロックの４×４サブブロックをエントロピー復号することを備える、請求項１に記載の方法。
【請求項４】
残差ＤＰＣＭが前記第１の残差ブロックに適用されるかどうかを示す情報を復号することと、
残差ＤＰＣＭが前記第１の残差ブロックに適用されるかどうかを示す前記復号した情報に基づいて、残差ＤＰＣＭが前記第１の残差ブロックに適用されるかどうかを決定することと、をさらに備え
残差ＤＰＣＭが適用される前記順序を示す情報を復号することは、残差ＤＰＣＭが前記第１の残差ブロックに適用されることを決定した場合、残差ＤＰＣＭが適用される前記順序を示す情報を復号することを備え、
好ましくは、残差ＤＰＣＭが前記第１の残差ブロックに適用されていないことを決定する場合、前記走査順序が対角線走査になることを決定する、請求項１に記載の方法。
【請求項５】
ビデオデータを符号化する方法であって、
現在のブロックのベクトルによって参照される予測ブロックと前記現在のブロックとの間の差分から生成された残差データを含む第１の残差ブロックに残差差分パルスコード変調（ＤＰＣＭ）が適用される方向を決定することと、
前記残差ＤＰＣＭが適用される前記決定した方向に基づいて前記第１の残差ブロックの走査順序を決定することと、ここにおいて、前記決定された走査順序は、第２の残差ブロックが前記現在のブロックをイントラ予測することから生成された場合、および前記残差ＤＰＣＭが前記第１の残差ブロックに適用される前記決定した方向と同じ方向を用いて前記第２の残差ブロックが残差ＤＰＣＭを適用された場合に、前記第２の残差ブロックに対して使用されるものと同じ走査順序であることが必要である、
前記決定された走査順序に基づいて前記第１の残差ブロックの前記残差データをエントロピー符号化することと、
残差ＤＰＣＭが適用される前記決定した方向を示す情報を符号化することと、
前記符号化した残差データと残差ＤＰＣＭが適用される前記決定した方向を示す前記情報とを出力することと
を備える、方法。
【請求項６】
前記現在のブロックの前記ベクトルは動きベクトルを備え、前記第１の残差ブロックは、前記現在のブロックのインター予測から生成され、前記現在のブロックのインター予測では、前記予測ブロックは前記現在のブロックと異なるピクチャ内にある、請求項１または請求項５に記載の方法。
【請求項７】
前記現在のブロックの前記ベクトルはブロックベクトルを備え、前記第１の残差ブロックは、前記現在のブロックのイントラブロックコピー予測から生成され、前記現在のブロックのイントラブロックコピー予測では、前記予測ブロックは、前記現在のブロックと同じピクチャ内にある、請求項１または請求項５に記載の方法。
【請求項８】
残差ＤＰＣＭが適用される前記方向は、水平または垂直方向であり、
前記第１の残差ブロックの前記走査順序を決定することは、
前記第２の残差ブロックが、水平残差ＤＰＣＭを適用され垂直走査を使用した場合、前記垂直走査を決定すること、または
前記第２の残差ブロックが、垂直残差ＤＰＣＭを適用され水平走査を使用した場合、前記水平走査を決定すること
のうちの１つを備える、
請求項１または請求項５に記載の方法。
【請求項９】
前記第１の残差ブロックのサイズがしきい値サイズ以下であるかどうかを決定すること
をさらに備え、
残差ＤＰＣＭが適用される前記方向は、水平または垂直方向であり、
前記第１の残差ブロックの前記走査順序を決定することは、
前記第１の残差ブロックの前記サイズが前記しきい値サイズ以下である場合、および前記第２の残差ブロックが、水平残差ＤＰＣＭを適用され垂直走査を使用した場合、前記垂直走査を決定すること、または
前記第１の残差ブロックの前記サイズが前記しきい値サイズ以下である場合、および前記第２の残差ブロックが、垂直残差ＤＰＣＭを適用され水平走査を使用した場合、前記水平走査を決定すること
のうちの１つを備える、
請求項１または請求項５に記載の方法。
【請求項１０】
前記しきい値サイズは、８×８を備える、請求項９に記載の方法。
【請求項１１】
残差ＤＰＣＭが適用される前記方向は、水平または垂直方向であり、
前記第１の残差ブロックの前記走査順序を決定することは、
前記第２の残差ブロックが、水平残差ＤＰＣＭを適用され水平走査を使用した場合、前記水平走査を決定すること、または
前記第２の残差ブロックが、垂直残差ＤＰＣＭを適用され垂直走査を使用した場合、前記垂直走査を決定すること
のうちの１つを備える、
請求項１または請求項５に記載の方法。
【請求項１２】
前記第１の残差ブロックのサイズがしきい値サイズ以下であるかどうかを決定すること
をさらに備え、
残差ＤＰＣＭが適用される前記方向は、水平または垂直方向であり、
前記第１の残差ブロックの前記走査順序を決定することは、
前記第１の残差ブロックの前記サイズが前記しきい値サイズ以下である場合、および前記第２の残差ブロックが、水平残差ＤＰＣＭを適用され水平走査を使用した場合、前記水平走査を決定すること、または
前記第１の残差ブロックの前記サイズが前記しきい値サイズ以下である場合、および前記第２の残差ブロックが、垂直残差ＤＰＣＭを適用され垂直走査を使用した場合、前記垂直走査を決定すること
のうちの１つを備える、
請求項１または請求項５に記載の方法。
【請求項１３】
ビデオデータを復号するためのデバイスであって、
現在のブロックのベクトルによって参照される予測ブロックと前記現在のブロックとの間の差分から生成された残差データを含む第１の残差ブロックに残差差分パルスコード変調（ＤＰＣＭ）が適用される方向を示す情報を復号するための手段と、ここにおいて、前記方向を示す前記情報は、垂直残差ＤＰＣＭまたは水平残差ＤＰＣＭのうちの１つを示す情報を備える、
前記方向を示す前記情報に基づいて前記第１の残差ブロックの走査順序を決定するための手段と、ここにおいて、前記第１の残差ブロックの前記走査順序を決定するための前記手段は、
前記情報が水平残差ＤＰＣＭを示した場合、および前記第１の残差ブロックのサイズが８×８以下である場合、垂直走査を決定するための手段と、
前記情報が垂直残差ＤＰＣＭを示した場合、および前記第１の残差ブロックの前記サイズが８×８以下である場合、水平走査を決定するための手段と
を備え、
前記決定された走査順序に基づいて前記第１の残差ブロックの前記残差データをエントロピー復号するための手段と、
前記復号した残差データに基づいて前記現在のブロックを再構成するための手段と
を備える、デバイス。
【請求項１４】
ビデオデータを符号化するためのデバイスであって、
現在のブロックのベクトルによって参照される予測ブロックと前記現在のブロックとの間の差分から生成された残差データを含む第１の残差ブロックに残差差分パルスコード変調（ＤＰＣＭ）が適用される方向を決定するための手段と、
前記残差ＤＰＣＭが適用される前記決定した方向に基づいて前記第１の残差ブロックの走査順序を決定するための手段と、ここにおいて、前記決定された走査順序は、第２の残差ブロックが前記現在のブロックをイントラ予測することから生成された場合、および前記残差ＤＰＣＭが前記第１の残差ブロックに適用される前記決定した方向と同じ方向を用いて前記第２の残差ブロックが残差ＤＰＣＭを適用された場合に、前記第２の残差ブロックに対して使用されるものと同じ走査順序であることが必要である、
前記決定された走査順序に基づいて前記第１の残差ブロックの前記残差データをエントロピー符号化するための手段と、
残差ＤＰＣＭが適用される前記決定した方向を示す情報を符号化するための手段と、
前記符号化した残差データと残差ＤＰＣＭが適用される前記決定した方向を示す前記情報とを出力するための手段と
を備える、デバイス。
【請求項１５】
実行されるとき、ビデオデータをコード化するためのデバイス用のビデオコーダに、請求項１から１２のうちのいずれか１つに記載の方法を実行させる命令が記憶された、コンピュータ可読記憶媒体。